(57)【要約】  ユーザ機器(UE)の改善された電力管理のための方法および装置が提示される。一態様では、第1のトリガイベントを検出するステップと、第1のトリガイベントを検出するステップに基づいて、UEの動作モードを第1のモードから第2のモードに遷移させるステップとを含む例示的な方法が提示され、UEのページングサイクルレートおよびセル測定レートはUEの動作モードに基づく。例示的な方法は、UEが第2のモードに従って動作している間、ページングサイクルレートに従ってUEに関連付けられたサービングセルのページングチャネルを監視するステップと、セル測定レートに従って1つまたは複数の利用可能なセルのセル測定を実行するステップとをさらに含む。さらに、例示的な方法は、第2のトリガイベントを検出するステップと、UEの動作モードを第2のモードから第1のモードに遷移させるステップとを含む。
2016536905.tif 000002
【特許請求の範囲】
【請求項１】
ユーザ機器(UE)管理の方法であって、
第1のトリガイベントを検出するステップと、
前記第1のトリガイベントを検出するステップに基づいて、前記UEの動作モードを第1のモードから第2のモードに遷移させるステップであって、前記UEのページングサイクルレートおよびセル測定レートが前記動作モードに基づく、ステップと、
前記UEが前記第2のモードに従って動作している間、前記ページングサイクルレートに従って前記UEに関連付けられたサービングセルのページングチャネルを監視するステップと、
前記UEが前記第2のモードに従って動作している間、前記セル測定レートに従って1つまたは複数の利用可能なセルのセル測定を実行するステップと、
前記UEが前記第2のモードに従って動作している間、第2のトリガイベントを検出するステップと、
前記第2のトリガイベントを検出するステップに基づいて、前記UEの前記動作モードを前記第2のモードから前記第1のモードに遷移させるステップと
を含む、方法。
【請求項２】
前記第1のモードが、前記ページングサイクルレートが前記ページングチャネルに関連付けられたページング信号送信レートよりも小さく、前記セル測定レートが前記1つまたは複数の利用可能なセルに関連付けられたセル情報送信レートよりも小さい、パッシブモードを含み、
前記第2のモードが、前記ページングサイクルレートが前記ページングチャネルに関連付けられた前記ページング信号送信レートに適合し、前記セル測定レートが前記1つまたは複数の利用可能なセルに関連付けられた前記セル情報送信レートに適合する、アクティブモードを含む、
請求項1に記載の方法。
【請求項３】
前記第2のモードが、前記ページングサイクルレートが前記ページングチャネルに関連付けられたページング信号送信レートよりも小さく、前記セル測定レートが前記1つまたは複数の利用可能なセルに関連付けられたセル情報送信レートよりも小さい、パッシブモードを含み、
前記第1のモードが、前記ページングサイクルレートが前記ページングチャネルに関連付けられた前記ページング信号送信レートに適合し、前記セル測定レートが前記1つまたは複数の利用可能なセルに関連付けられた前記セル情報送信レートに適合する、アクティブモードを含む、
請求項1に記載の方法。
【請求項４】
前記第1のトリガイベントおよび前記第2のトリガイベントのうちの少なくとも1つが、サーバからメッセージを受信することを含み、前記メッセージが、前記サーバに記憶されたデータが前記UEに送信されるべきことを示す、請求項1に記載の方法。
【請求項５】
前記第1のトリガイベントおよび前記第2のトリガイベントのうちの少なくとも1つが、現在時刻がモード遷移時刻に対応すると判断することを含む、請求項1に記載の方法。
【請求項６】
サーバから前記モード遷移時刻を受信するステップと、
前記UEに関連付けられたメモリに前記モード遷移時刻を記憶するステップと
をさらに含む、請求項5に記載の方法。
【請求項７】
サーバから第1のモードタイマおよび第2のモードタイマのうちの少なくとも1つを受信するステップであって、前記第1のモードタイマが、前記UEが前記第1のモードに留まるべき第1の時間期間を定義し、前記第2のモードタイマが、前記UEが前記第2のモードに留まるべき第2の時間期間を定義する、ステップ
をさらに含み、
前記第1のトリガイベントを検出するステップが、前記第1のモードタイマが満了したことを判断するステップを含み、
前記第2のトリガイベントを検出するステップが、前記第2のモードタイマが満了したことを判断するステップを含む、
請求項1に記載の方法。
【請求項８】
前記1つまたは複数の利用可能なセルに関連付けられた少なくとも1つのシステム情報ブロック(SIB)を受信するステップであって、前記少なくとも1つのSIBの各々が、前記1つまたは複数の利用可能なセルのうちの1つに関連付けられたセルサイズを示す、ステップと、
前記1つまたは複数の利用可能なセルに関連付けられた最大セルサイズを決定するステップと、
前記UEのモビリティ状態にかかわらず、前記最大セルサイズに対応する最大の利用可能なセルを、前記UEの前記サービングセルとして確立するために、再選択手順を実施するステップと
をさらに含む、請求項1に記載の方法。
【請求項９】
前記UEの前記モビリティ状態が低モビリティ状態を含む、請求項8に記載の方法。
【請求項１０】
前記UEの前記モビリティ状態が高モビリティ状態を含む、請求項8に記載の方法。
【請求項１１】
前記サービングセルおよび前記1つまたは複数の利用可能なセルのうちの1つまたは複数が、階層セル構造(HCS)に従って動作する、請求項1に記載の方法。
【請求項１２】
前記少なくとも1つのSIBの各々が、セルサイズを示すHCS情報を含む、請求項11に記載の方法。
【請求項１３】
モバイル通信のための装置であって、
第1のトリガイベントを検出するための手段と、
前記第1のトリガイベントを検出することに基づいて、ユーザ機器(UE)の動作モードを第1のモードから第2のモードに遷移させるための手段であって、前記UEのページングサイクルレートおよびセル測定レートが前記UEの前記動作モードに基づく、手段と、
前記UEが前記第2のモードに従って動作している間、前記ページングサイクルレートに従って前記UEに関連付けられたサービングセルのページングチャネルを監視するための手段と、
前記UEが前記第2のモードに従って動作している間、前記セル測定レートに従って1つまたは複数の利用可能なセルのセル測定を実行するための手段と、
前記UEが前記第2のモードに従って動作している間、第2のトリガイベントを検出するための手段と、
前記第2のトリガイベントを検出することに基づいて、前記UEの前記動作モードを前記第2のモードから前記第1のモードに遷移させるための手段と
を備える、装置。
【請求項１４】
前記第1のモードおよび前記第2のモードのうちの1つが、前記ページングサイクルレートが前記ページングチャネルに関連付けられたページング信号送信レートよりも小さく、前記セル測定レートが前記1つまたは複数の利用可能なセルに関連付けられたセル情報送信レートよりも小さい、パッシブモードを含み、
前記第1のモードおよび前記第2のモードのうちの1つが、前記ページングサイクルレートが前記ページングチャネルに関連付けられた前記ページング信号送信レートに適合し、前記セル測定レートが前記1つまたは複数の利用可能なセルに関連付けられた前記セル情報送信レートに適合する、アクティブモードを含む、
請求項13に記載の装置。
【請求項１５】
前記1つまたは複数の利用可能なセルに関連付けられた少なくとも1つのシステム情報ブロック(SIB)を受信するための手段であって、前記少なくとも1つのSIBの各々が、前記1つまたは複数の利用可能なセルのうちの1つに関連付けられたセルサイズを示す、手段と、
前記1つまたは複数の利用可能なセルに関連付けられた最大セルサイズを決定するための手段と、
前記UEのモビリティ状態にかかわらず、前記最大セルサイズに対応する最大の利用可能なセルを、前記UEの前記サービングセルとして確立するために、再選択手順を実施するための手段と
をさらに備える、請求項13に記載の装置。
【請求項１６】
プロセッサによって実行されたとき、
第1のトリガイベントを検出することと、
前記第1のトリガイベントを検出することに基づいて、ユーザ機器(UE)の動作モードを第1のモードから第2のモードに遷移させることであって、前記UEのページングサイクルレートおよびセル測定レートが前記動作モードに基づく、遷移させることと、
前記UEが前記第2のモードに従って動作している間、前記ページングサイクルレートに従って前記UEに関連付けられたサービングセルのページングチャネルを監視することと、
前記UEが前記第2のモードに従って動作している間、前記セル測定レートに従って1つまたは複数の利用可能なセルのセル測定を実行することと、
前記UEが前記第2のモードに従って動作している間、第2のトリガイベントを検出することと、
前記第2のトリガイベントを検出することに基づいて、前記UEの前記動作モードを前記第2のモードから前記第1のモードに遷移させることと
を前記プロセッサに実行させる命令を備える、非一時的コンピュータ可読記憶媒体。
【請求項１７】
前記第1のモードおよび前記第2のモードのうちの1つが、前記ページングサイクルレートが前記ページングチャネルに関連付けられたページング信号送信レートよりも小さく、前記セル測定レートが前記1つまたは複数の利用可能なセルに関連付けられたセル情報送信レートよりも小さい、パッシブモードを含み、
前記第1のモードおよび前記第2のモードのうちの1つが、前記ページングサイクルレートが前記ページングチャネルに関連付けられた前記ページング信号送信レートに適合し、前記セル測定レートが前記1つまたは複数の利用可能なセルに関連付けられた前記セル情報送信レートに適合する、アクティブモードを含む、
請求項16に記載の非一時的コンピュータ可読記憶媒体。
【請求項１８】
前記プロセッサによって実行されたとき、
前記1つまたは複数の利用可能なセルに関連付けられた少なくとも1つのシステム情報ブロック(SIB)を受信することであって、前記少なくとも1つのSIBの各々が、前記1つまたは複数の利用可能なセルのうちの1つに関連付けられたセルサイズを示す、受信することと、
前記1つまたは複数の利用可能なセルに関連付けられた最大セルサイズを決定することと、
前記UEのモビリティ状態にかかわらず、前記最大セルサイズに対応する最大の利用可能なセルを、前記UEの前記サービングセルとして確立するために、再選択手順を実施することと
を前記プロセッサに実行させる命令をさらに備える、請求項16に記載の非一時的コンピュータ可読記憶媒体。
【請求項１９】
ワイヤレス通信のための装置であって、
第1のトリガイベントおよび第2のトリガイベントを検出するように構成されたトリガイベント検出構成要素と、
前記第1のトリガイベントを検出することに基づいて、ユーザ機器(UE)の動作モードを第1のモードから第2のモードに遷移させるように構成され、前記第2のトリガイベントを検出することに基づいて、前記動作モードを前記第2のモードから前記第1のモードに遷移させるように構成された動作モード遷移構成要素であって、前記UEのページングサイクルレートおよびセル測定レートが前記UEの前記動作モードに基づく、動作モード遷移構成要素と、
前記UEが前記第2のモードに従って動作している間、前記ページングサイクルレートに従って前記UEに関連付けられたサービングセルのページングチャネルを監視するように構成されたページングチャネル監視構成要素と、
前記UEが前記第2のモードに従って動作している間、前記セル測定レートに従って1つまたは複数の利用可能なセルのセル測定を実行するように構成されたセル測定構成要素と
を備える、装置。
【請求項２０】
前記第1のモードが、前記ページングサイクルレートが前記ページングチャネルに関連付けられたページング信号送信レートよりも小さく、前記セル測定レートが前記1つまたは複数の利用可能なセルに関連付けられたセル情報送信レートよりも小さい、パッシブモードを含み、
前記第2のモードが、前記ページングサイクルレートが前記ページングチャネルに関連付けられた前記ページング信号送信レートに適合し、前記セル測定レートが前記1つまたは複数の利用可能なセルに関連付けられた前記セル情報送信レートに適合する、アクティブモードを含む、
請求項19に記載の装置。
【請求項２１】
前記第2のモードが、前記ページングサイクルレートが前記ページングチャネルに関連付けられたページング信号送信レートよりも小さく、前記セル測定レートが前記1つまたは複数の利用可能なセルに関連付けられたセル情報送信レートよりも小さい、パッシブモードを含み、
前記第1のモードが、前記ページングサイクルレートが前記ページングチャネルに関連付けられた前記ページング信号送信レートに適合し、前記セル測定レートが前記1つまたは複数の利用可能なセルに関連付けられた前記セル情報送信レートに適合する、アクティブモードを含む、
請求項19に記載の装置。
【請求項２２】
サーバからメッセージを受信するように構成された受信機をさらに備え、前記メッセージが、前記サーバに記憶されたデータが前記UEに送信されるべきことを示す、請求項19に記載の装置。
【請求項２３】
前記トリガイベント検出構成要素が、現在時刻がモード遷移時刻に対応すると判断するようにさらに構成された、請求項19に記載の装置。
【請求項２４】
サーバからモード遷移時刻を受信するように構成された受信機と、
前記モード遷移時刻を記憶するように構成されたメモリと
をさらに備える、請求項23に記載の装置。
【請求項２５】
サーバから第1のモードタイマおよび第2のモードタイマのうちの少なくとも1つを受信するように構成された受信機であって、前記第1のモードタイマが、前記UEが前記第1のモードに留まるべき第1の時間期間を定義し、前記第2のモードタイマが、前記UEが前記第2のモードに留まるべき第2の時間期間を定義する、受信機
をさらに備え、
前記トリガイベント検出構成要素が、前記第1のモードタイマが満了したこと、および前記第2のモードタイマが満了したことを判断するように構成された、
請求項19に記載の装置。
【請求項２６】
前記1つまたは複数の利用可能なセルに関連付けられた少なくとも1つのシステム情報ブロック(SIB)を受信するように構成された受信機であって、前記少なくとも1つのSIBの各々が、前記1つまたは複数の利用可能なセルのうちの1つに関連付けられたセルサイズを示す、受信機と、
前記1つまたは複数の利用可能なセルに関連付けられた最大セルサイズを決定するように構成された最大セルサイズ決定構成要素と、
前記UEのモビリティ状態にかかわらず、前記最大セルサイズに対応する最大の利用可能なセルを、前記UEの前記サービングセルとして確立するために、再選択手順を実施するように構成された再選択構成要素と
をさらに備える、請求項19に記載の装置。
【請求項２７】
前記モビリティ状態が低モビリティ状態を含む、請求項26に記載の装置。
【請求項２８】
前記モビリティ状態が高モビリティ状態を含む、請求項26に記載の装置。
【請求項２９】
前記サービングセルおよび前記1つまたは複数の利用可能なセルのうちの1つまたは複数が、階層セル構造(HCS)に従って動作する、請求項19に記載の装置。
【請求項３０】
前記少なくとも1つのSIBの各々が、セルサイズを示すHCS情報を含む、請求項29に記載の装置。
【発明の詳細な説明】
【技術分野】
【０００１】
関連出願の相互参照
本特許出願は、それらの全体が参照により本明細書に組み込まれる、2013年8月30日に出願された「ENHANCED IDLE MODE MECHANISMS FOR POWER EFFICIENT DEVICE」と題する米国仮特許出願第61/872,401号の利益を主張する、2014年4月23日に出願された「ENHANCED IDLE MODE MECHANISMS FOR POWER EFFICIENT DEVICES」と題する米国非仮出願第14/260,104号の利益を主張する。
【０００２】
以下の説明は、一般に、ワイヤレス通信に関し、より詳細には、改善された電力管理のためのユーザ機器(UE)用の複数の動作モードを設けることに関する。
【背景技術】
【０００３】
ワイヤレス通信ネットワークは、電話、ビデオ、データ、メッセージング、ブロードキャストなどの様々な通信サービスを提供するために広く展開されている。通常、複数のアクセスネットワークであるそのようなネットワークは、利用可能なネットワークリソースを共有することによって複数のユーザ向けの通信をサポートする。そのようなネットワークの一例は、UMTS地上波無線アクセスネットワーク(UTRAN)である。UTRANは、第3世代パートナーシッププロジェクト(3GPP)によってサポートされる第3世代(3G)モバイルフォン技術である、ユニバーサルモバイルテレコミュニケーションシステム(UMTS)の一部として定義された無線アクセスネットワーク(RAN)である。UMTSは、モバイル通信用グローバルシステム(GSM(登録商標))技術の後継であり、広帯域符号分割多元接続(WCDMA(登録商標))、時分割符号分割多元接続(TD-CDMA)、および時分割同期符号分割多元接続(TD-SCDMA)などの様々なエアインターフェース規格を現在サポートしている。UMTSは、関連付けられたUMTSネットワークのデータ転送の速度および容量を向上させる、高速パケットアクセス(HSPA)などの拡張3Gデータ通信プロトコルもサポートする。
【０００４】
モバイルブロードバンドアクセスに対する要求が増大し続けるにつれて、研究開発は、モバイルブロードバンドアクセスに対する高まる要求を満たすだけでなく、モバイル通信によるユーザ体験を進化および向上させるように、UMTS技術を進化させ続けている。
【０００５】
現在、UMTSシステムでは、UEは、たとえば、参照により本明細書に組み込まれる、第3世代パートナーシッププロジェクト(3GPP)広報TS25.304に指定されたセルの選択および/または再選択の方法を使用して、適切なセルにキャンプオンする。たとえば、アイドルモードで動作しているとき、UEは、適切なセル選択および/または再選択アルゴリズムの実行を支援するために、様々な周波数内、周波数間、および無線アクセス技術(RAT)間の測定を実行する必要があり得る。測定のタイプ、UEの状態、およびUE受信機の能力により、そのような測定がいつ行われ得るかが決定される。たとえば、周波数内測定は、サービングセルからデータを受信し続けている間に行われ得る。加えて、UEは、ネットワークによって指定された、構成された不連続受信(DRX)サイクル長に従って、ページングオケージョンについてネットワークを監視する必要があり得る。UEがページングチャネル(PCH)上の着信ページングメッセージを有する場合があるページングオケージョンは、ページングインジケータチャネル(PICH)を介して搬送されるページングインジケータによって示される。
【０００６】
UEがただ1つの受信機を有する場合、周波数間およびRAT間の測定、ならびにページングオケージョンについてのPICHの監視は、UEがその無線を再調整することを必要とし、したがって、UEが利用可能なセルの測定を行うか、またはPICHを監視している間、サービングセルからデータを受信しないように防止する。UEがアイドルモードまたはPCH状態に留まる間、これらの測定およびページングオケージョンの監視を実行することは、UEの電力消費の主要原因である。
【発明の概要】
【課題を解決するための手段】
【０００７】
以下は、そのような態様の基本的な理解を与えるために、本開示の1つまたは複数の態様の簡単な概要を提示する。この概要は、すべての企図された態様の包括的な概観ではなく、すべての態様の主要なまたは重要な要素を識別するものでも、いずれかまたはすべての態様の範囲を定めるものでもない。その唯一の目的は、後に提示されるより詳細な説明の前置きとして、簡略化された形態で1つまたは複数の態様のいくつかの概念を提示することである。
【０００８】
例示的な態様によれば、UEが1つまたは複数のページングまたはセル測定の繰返しを効果的に省略する可能性に起因して、UEの電力消費の削減をもたらすことができる、UE管理のための方法が提示される。一態様では、そのような例示的な方法は、第1のトリガイベントを検出するステップと、第1のトリガイベントを検出するステップに基づいて、UEの動作モードを第1のモードから第2のモードに遷移させるステップとを含む場合があり、UEのページングサイクルレートおよびセル測定レートは動作モードに基づく。さらなる態様では、そのような例示的な方法は、UEが第2のモードに従って動作している間、ページングサイクルレートに従ってUEに関連付けられたサービングセルのページングチャネルを監視するステップと、UEが第2のモードに従って動作している間、セル測定レートに従って1つまたは複数の利用可能なセルのセル測定を実行するステップとを含む場合がある。同様に、例示的な方法は、UEが第2のモードに従って動作している間、第2のトリガイベントを検出するステップと、第2のトリガイベントを検出するステップに基づいて、UEの動作モードを第2のモードから第1のモードに遷移させるステップとを含む場合がある。
【０００９】
さらなる例示的な態様では、本開示はモバイル通信用の装置を提示し、装置は、第1のトリガイベントを検出するための手段と、第1のトリガイベントを検出することに基づいて、UEの動作モードを第1のモードから第2のモードに遷移させるための手段とを含む場合があり、UEのページングサイクルレートおよびセル測定レートはUEの動作モードに基づく。そのような例示的な装置は、UEが第2のモードに従って動作している間、ページングサイクルレートに従ってUEに関連付けられたサービングセルのページングチャネルを監視するための手段と、UEが第2のモードに従って動作している間、セル測定レートに従って1つまたは複数の利用可能なセルのセル測定を実行するための手段とをさらに含む場合がある。さらに、例示的な装置は、UEが第2のモードに従って動作している間、第2のトリガイベントを検出するための手段と、第2のトリガイベントを検出することに基づいて、UEの動作モードを第2のモードから第1のモードに遷移させるための手段とを含む場合がある。
【００１０】
加えて、本開示は、プロセッサによって実行されたとき、第1のトリガイベントを検出することと、第1のトリガイベントを検出することに基づいて、UEの動作モードを第1のモードから第2のモードに遷移させることであって、UEのページングサイクルレートおよびセル測定レートが動作モードに基づく、遷移させることと、UEが第2のモードに従って動作している間、ページングサイクルレートに従ってUEに関連付けられたサービングセルのページングチャネルを監視することと、UEが第2のモードに従って動作している間、セル測定レートに従って1つまたは複数の利用可能なセルのセル測定を実行することと、UEが第2のモードに従って動作している間、第2のトリガイベントを検出することと、第2のトリガイベントを検出することに基づいて、UEの動作モードを第2のモードから第1のモードに遷移させることとをプロセッサに実行させる命令を備える、非一時的コンピュータ可読記憶媒体を提示する。
【００１１】
その上、本開示はUEの管理用の装置を提示し、装置は、第1のトリガイベントおよび第2のトリガイベントを検出するように構成されたトリガイベント検出構成要素と、第1のトリガイベントを検出することに基づいて、UEの動作モードを第1のモードから第2のモードに遷移させるように構成され、第2のトリガイベントを検出することに基づいて、動作モードを第2のモードから第1のモードに遷移させるように構成された動作モード遷移構成要素とを含む場合があり、UEのページングサイクルレートおよびセル測定レートはUEの動作モードに基づく。加えて、例示的な装置は、UEが第2のモードに従って動作している間、ページングサイクルレートに従ってUEに関連付けられたサービングセルのページングチャネルを監視するように構成されたページングチャネル監視構成要素と、UEが第2のモードに従って動作している間、セル測定レートに従って1つまたは複数の利用可能なセルのセル測定を実行するように構成されたセル測定構成要素とを含む場合がある。
【００１２】
上記および関連する目的を達成するために、1つまたは複数の実施形態は、以下で完全に記載され、特許請求の範囲において特に指摘される特徴を備える。以下の説明および添付の図面は、1つまたは複数の実施形態のいくつかの例示的な態様を詳細に説明する。しかしながら、これらの態様は、様々な実施形態の原理が採用され得る様々な方法のうちのほんのいくつかしか示しておらず、記載される実施形態は、そのようなすべての態様およびそれらの均等物を含むものとする。
【図面の簡単な説明】
【００１３】
【図１】本開示による、例示的なワイヤレス通信システムを概念的に示すブロック図である。
【図２】本開示の例示的な装置による、例示的な動作モードマネージャを概念的に示すブロック図である。
【図３Ａ】本開示の例示的な方法を表す複数の機能ブロックを含む流れ図である。
【図３Ｂ】本開示の別の例示的な方法を表す複数の機能ブロックを含む流れ図である。
【図４】処理システムを採用する装置についてのハードウェア実装形態の一例を概念的に示すブロック図である。
【図５】電気通信システムの一例を概念的に示すブロック図である。
【図６】アクセスネットワークの一例を概念的に示す図である。
【図７】電気通信システムにおいてUEと通信しているノードBの一例を概念的に示すブロック図である。
【発明を実施するための形態】
【００１４】
添付の図面に関して以下に記載される発明を実施するための形態は、様々な構成の説明として意図されており、本明細書に記載される概念が実践され得る唯一の構成を表すことは意図されていない。発明を実施するための形態は、様々な概念の完全な理解をもたらす目的で、具体的な詳細を含んでいる。しかしながら、これらの概念がこれらの具体的な詳細なしに実践され得ることが、当業者には明らかであろう。場合によっては、そのような概念を曖昧にすることを回避するために、よく知られている構造および構成要素がブロック図の形態で示されている。
【００１５】
本開示は、UEにおける改善された電力管理および性能のための方法および装置を提示する。たとえば、本開示の例示的な方法および装置によれば、UEがアイドルモードまたはPCH状態で動作しているとき、UEは、パッシブモードおよびアクティブモードを含む場合がある動作モードの間を遷移することができる。これらの例示的な方法および装置を利用することによって、ページングオケージョンおよびセル再選択機会についてネットワークを監視することに関連付けられたUEの電力消費が減少され得る。
【００１６】
本開示の一態様では、サーバは、それらの各々がアクティブモードまたはパッシブモードであり得る、第1のモードおよび第2のモードなどの動作モードの間でUEを移動させるメッセージまたはコマンドを生成するように構成される場合がある。アクティブモードでは、限定はしないが、UEが音声通話、ストリーミングデータセッションなどを行うときなど、UEとネットワークおよび/またはサーバとの間で比較的大容量の通信活動が予想される場合がある。アクティブモードの間、呼またはセッションの完全性を維持するために、セル測定およびページングオケージョン監視の比較的少ないインスタンスは、信頼できるセル選択/再選択およびページチャネル復号のプロセスを保証するために省略され得る。
【００１７】
反対に、パッシブモードでは、比較的低容量の通信活動が予想される場合がある。したがって、UEの動作モードがパッシブモードである間、いくつかのセル測定および/またはページングチャネル(もしくはページングインジケータチャネル)監視のインスタンスは、適正なUEの機能を維持しながら省略され得る。1つまたは複数のページングチャネル監視またはセル測定のインスタンスを省略することによって、UEは、UEがページ監視またはセル測定のあらゆるインスタンスを実行するために消費された可能性があるバッテリ電力を節約することができる。さらに、ページが時間制約型データ(たとえば、音声通話、ストリーミングオーディオ、またはストリームビデオ)ではなく非時間制約型データ(たとえば、雑誌の購読、本のダウンロードなど)に関係する場合、省略されるページングインスタンスから生じる非時間制約型データのダウンロードにおける遅延は許容可能であり得るので、UEは、呼の完全性に対する重大なリスクなしに、本開示のパッシブモードに遷移することの電力節約の利点から恩恵を受けることができる。
【００１８】
動作モードの間を遷移させるコマンドの生成および/または送信は、タイマベース、イベントベース、または時刻ベースであり得る。たとえば、時刻ベースのトリガリングの場合、UEまたはサーバは、UE向けの大量のダウンリンクトラフィックが通常存在する間の所定の時刻に、メッセージまたはコマンドを生成して、第1のモード(たとえば、パッシブモード)から第2のモード(たとえば、アクティブモード)にUEを遷移させることができる。たとえば、サーバ(たとえば、雑誌のサブスクリプションサーバまたは他の非時間制約型データのコンテンツサーバ)は、通常、ネットワーク帯域幅コストが最も低いときの深夜の間にデータを加入者にプッシュすることができる。したがって、これらの時間(たとえば、午前1:00〜2:00など)の間、UEは、アクティブモードに遷移してコンテンツを受信することができる。
【００１９】
別のオプションの態様では、UEまたはサーバは、UEに送信または「プッシュ」される準備ができているデータがサーバに存在するとUEまたはサーバが判断したときなどの「イベント」に基づいて、メッセージまたはコマンドを生成して、パッシブモードからアクティブモードにUEを遷移させることができる。たとえば、雑誌購読の例を使用すると、サーバ、またはサーバ上で実行されるアプリケーションは、雑誌がUEにプッシュされる準備ができているとサーバが判断した場合、メッセージを送信してUEをアクティブモードに移動させることができる。同様に、UEは、現在のモードに入った後の所定の時間量の満了に基づいて、現在のモードから出ることができる。
【００２０】
本開示の追加の態様では、UEは、UEのモビリティ状態にかかわらず、セル測定手順においてUEによって検出された最大のセルに再選択することによって、既存のセル選択プロトコルから離れることができる。たとえば、ネットワーク構成によって定義されたある特定の基準に基づいて、UEが高モビリティ状態で動作しているか、低モビリティ状態で動作しているかを示すために、「UEモビリティ状態インジケータ」と呼ばれるUEによって生成され送信された情報要素(IE)が、無線リソース制御(RRC)レイヤ内に存在する。一態様では、高モビリティ状態は、UEがセルの間を高速で遷移していることを示す場合があり、中間モビリティ状態、通常モビリティ状態、または低モビリティ状態は、高モビリティ状態のUEと比較して、比較的低速でUEがセルの間を遷移していることを示す場合がある。このモビリティ状態は、たとえば、指定された時間期間中のセルの再選択またはハンドオーバの回数に基づく場合がある。さらに、階層セル構造(HCS)をサポートする構成では、UEは、ネットワークの各セルによって送信されるシステム情報ブロック(SIB)メッセージ内で与えられるHCS優先度の値に基づいて、より大きいかより小さいカバレージエリアに属するセルを知る。現在の規格によれば、高モビリティ状態のUEは大きいセルによってサービスされるように予想され、低モビリティ状態のUEは小さいセルによってサービスされるように予想される。
【００２１】
加えて、UEがセル測定またはページ監視のオケージョンを省略することができる回数は、セルのサイズに依存することができる。たとえば、大きいセルにキャンプオンしたとき、UEは、UEが中程度のセルまたは小さいセルにキャンプオンした場合と比較して、頻繁に測定を省略することが許可される。したがって、UEがセル測定またはページ監視のオケージョンを省略することが許可される回数は、「UEモビリティ状態インジケータ」の現在のステータスに依存することができる。具体的には、UEが高モビリティ状態にあるとき、UEは大きいセルにキャンプオンし、それにより、UEが低モビリティ状態にある場合と比較して、省略されるセル測定またはページ監視のオケージョンの回数を最大化することができる。
【００２２】
したがって、本開示の追加または代替の態様では、UEが低モビリティのユーザである場合でも、UEは、セル測定手順の間に検出される最大の利用可能なセルにキャンプオンするように構成され得る。そのため、UEが最大の利用可能なセルにキャンプオンするので、UEは、小さいセルまたは中程度のセルに比べて多数のページングオケージョンおよびセル測定を省略することができ、それはバッテリ性能を改善する助けになる。
【００２３】
図1は、例示的な構成による、ワイヤレス通信用のシステム100を示す概略図である。図1は、非限定的な態様では、データ通信チャネル、ページングチャネル、および/または制御チャネルを含む場合がある、1つまたは複数のワイヤレス通信チャネル114を介してUE102とワイヤレスに通信することができる、例示的なネットワーク108を含む。一態様では、通信チャネル114は、ページングチャネル(PCH)および/またはページングインジケータチャネル(PICH)を含む場合がある。本開示の目的として、ページングチャネルに対するいかなる言及も、ページングチャネルまたはページングインジケータチャネルを含む場合がある。言い換えれば、UE102が本開示によるページングチャネルを監視するとき、UEは、同様にページングインジケータチャネルを監視することができる。
【００２４】
追加の態様では、通信チャネル114は、限定はしないが、第1世代、第2世代(2G)、3G、4Gなどのワイヤレスネットワーク通信プロトコルを含む場合がある、3GPPおよび/または3GPP2によって公表された仕様に従って動作している1つまたは複数のデータまたは制御の通信チャネルを含む、任意のオーバージエア(OTA)通信チャネルを備える。加えて、ネットワーク108の1つまたは複数のセルに関連付けられた1つまたは複数のセルまたはネットワークエンティティは、1つまたは複数のセルに関連付けられたシステム情報112をブロードキャスト、または場合によっては送信するように構成される場合がある。一態様では、システム情報112には、SIB、接続情報もしくは許可情報、セルサイズもしくは地理情報(たとえば、HCSもしくは他のセル優先度情報)、セル識別情報、または任意の他のセル固有の情報が含まれ得る。本開示の目的として、「セルサイズ」は、その上でセルが1つまたは複数のUE102に通信サービスを提供することができる、地理的エリアまたは空間エリアを指す場合がある。同様に、「最大セルサイズ」は、その上でセルが1つまたは複数のUE102に通信サービスを提供することができる、最大の地理的エリアまたは空間エリアを包含する、複数のセルサイズのうちの1つのセルサイズを指す場合がある。
【００２５】
さらに、ネットワーク108は、1つまたは複数の通信リンク116を介して、サーバ104と通信することができる。サーバ104は、ネットワーク108を介して、データ、メッセージを送信するか、または場合によってはUE102と通信するように構成される場合がある。一態様では、サーバ104は、ネットワーク108を介してサーバ104からUE102に送信され得る、データ、メッセージ、サブスクリプションコンテンツ(たとえば、本、雑誌、音楽、マルチメディアなど)のためのデータリポジトリとして働くメモリ(図示せず)を含む場合がある。加えて、サーバ104は、サーバ上に記憶されたデータがUE102に送信または「プッシュ」されるべきことを示すために、1つまたは複数のメッセージ110をUE102に送信するように構成される場合がある。いくつかの例では、そのようなメッセージ110は、限定はしないが、アプリケーションレイヤまたはレイヤ7を含む場合がある、通信レイヤモデル(たとえば、開放型システム間相互接続(OSI)モデル)の上位レイヤに関連付けられる場合がある。追加の態様では、1つまたは複数のメッセージ110は、ネットワーク108を介してUE102に転送される場合がある、1つまたは複数のページング信号を含む場合がある。
【００２６】
加えて、UE102は、限定はしないが、スマートフォン、携帯電話、モバイルフォン、ラップトップコンピュータ、タブレットコンピュータ、電子書籍リーダー、または他のポータブルネットワークデバイスなどの任意のタイプのモバイルデバイスを含む場合がある。加えて、UE102は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、端末、ユーザエージェント、モバイルクライアント、クライアント、または他の何らかの適切な用語で呼ばれる場合もある。一般に、UE102は、ポータブルと見なされるほど十分に小型かつ軽量であり得るし、本明細書に記載される1つまたは複数のOTA通信プロトコルを使用して、オーバージエア通信リンクを介してワイヤレスに通信するように構成される場合がある。代替または追加として、UE102は、限定はしないが、機械間(M2M)デバイスなどの比較的固定されたデバイスを含む場合がある。加えて、UE102は、それらの各々が、UE102が所与の動作モードに従って動作している間のUE102のページングサイクルおよびセル監視挙動を定義することができる、複数の利用可能な動作モードの間でUE102を遷移させるように構成される場合がある、動作モードマネージャ106を含む場合がある。動作モードマネージャ106は、図2を参照して以下でさらに詳細に説明される。さらに、図1には示されていないが、サーバ104は動作モードマネージャ106を含む場合があり、本明細書に記載される方法を実施するように構成される場合がある。
【００２７】
さらに、図1のネットワーク108は、アクセスポイント、基地局(BS)、ノードB、eノードB(eNB)、リレー、ピアツーピアデバイス、認証、認可、およびアカウンティング(AAA)サーバ、モバイル交換センタ(MSC)、無線ネットワークコントローラ(RNC)を含むマクロセル、またはスモールセルなどの任意のタイプのネットワークエンティティまたはネットワークモジュールのうちの1つまたは複数を含む場合がある。本明細書で使用する「スモールセル」という用語は、アクセスポイントまたはアクセスポイントの対応するカバレージエリアを指す場合があり、この場合のアクセスポイントは、たとえば、マクロネットワークアクセスポイントまたはマクロセルの送信電力またはカバレージエリアと比較して、比較的低い送信電力または比較的小さいカバレージを有する。たとえば、マクロセルは、限定はしないが、半径数キロメートルなどの、比較的大きい地理的エリアをカバーすることができる。対照的に、スモールセルは、限定はしないが、家屋、建物、または建物のフロアなどの、比較的小さい地理的エリアをカバーすることができる。そのため、スモールセルは、限定はしないが、基地局(BS)、アクセスポイント、フェムトノード、フェムトセル、ピコノード、マイクロノード、ノードB、発展型ノードB(eNB)、ホームノードB(HNB)、またはホーム発展型ノードB(HeNB)などの装置を含む場合がある。したがって、本明細書で使用する「スモールセル」という用語は、マクロセルと比較して、比較的低い送信電力および/または比較的小さいカバレッジエリアのセルを指す。加えて、ネットワーク108は、ワイヤレスネットワークおよび/またはコアネットワークの1つまたは複数の他のネットワークエンティティと通信することができる。さらに、ネットワーク108の1つまたは複数のネットワークエンティティは送信することができる。
【００２８】
加えて、ネットワーク108は、限定はしないが、ワイドエリアネットワーク(WAN)、ワイヤレスネットワーク(たとえば、802.11もしくはセルラーネットワーク)、公衆交換電話網(PSTN)ネットワーク、アドホックネットワーク、パーソナルエリアネットワーク(たとえば、Bluetooth(登録商標))、またはネットワークプロトコルおよびネットワークタイプの他の組合せもしくは並べ替えなどの任意のネットワークタイプを含む場合がある。そのようなネットワークは、単一のローカルエリアネットワーク(LAN)もしくはワイドエリアネットワーク(WAN)、またはインターネットなどのLANもしくはWANの組合せを含む場合がある。そのようなネットワークは、広帯域符号分割多元接続(WCDMA(登録商標))システムを備える場合があり、この規格に従って1つまたは複数のUE102と通信することができる。当業者なら容易に諒解するように、本開示全体にわたって記載される様々な態様は、他の電気通信システム、ネットワークアーキテクチャ、および通信規格に拡張され得る。例として、様々な態様は、時分割同期符号分割多元接続(TD-SCDMA)、高速ダウンリンクパケットアクセス(HSDPA)、高速アップリンクパケットアクセス(HSUPA)、高速パケットアクセスプラス(HSPA+)、および時分割CDMA(TD-CDMA)などの、他のユニバーサルモバイルテレコミュニケーションシステム(UMTS)システムに拡張され得る。様々な態様はまた、(FDDモード、TDDモード、または両方のモードにおける)ロングタームエボリューション(LTE)、(FDDモード、TDDモード、または両方のモードにおける)LTEアドバンスト(LTE-A)、CDMA2000、エボリューションデータオプティマイズド(EV-DO)、ウルトラモバイルブロードバンド(UMB)、電気電子技術者協会(IEEE)802.11(Wi-Fi)、IEEE802.16(WiMAX(登録商標))、IEEE802.20、ウルトラワイドバンド(UWB)、Bluetooth(登録商標)、および/または他の適切なシステムを採用するシステムに拡張され得る。採用される実際の電気通信規格、ネットワークアーキテクチャ、および/または通信規格は、特定の用途、およびシステムに課される全体的な設計制約に依存する。ネットワークに結合される様々なデバイス(たとえば、UE102、サーバ104)は、1つまたは複数の有線接続またはワイヤレス接続を介してコアネットワークに結合される場合がある。
【００２９】
図2を参照すると、(たとえば、図1の)例示的な動作モードマネージャ106は、本明細書に記載される1つまたは複数の方法またはプロセスを遂行するための複数の個別の構成要素を備えるものとして提示される。たとえば、一態様では、動作モードマネージャ106はトリガイベント検出構成要素200を含む場合があり、トリガイベント検出構成要素200は、動作モード間の遷移を開始する1つまたは複数のトリガイベントを検出するように構成される場合がある。たとえば、トリガイベント検出構成要素200は、それらの各々がUEについての動作モード遷移を開始することができる、第1のトリガイベント202および/または第2のトリガイベント204を検出するように構成される場合がある。
【００３０】
第1のトリガイベント202および第2のトリガイベント204のいずれかまたは両方は、本開示によって考察されるいくつかのトリガイベントタイプのうちの1つに対応する場合がある。たとえば、非限定的な態様では、いずれのトリガイベントも、イベントベース、タイマベース、または時刻ベースのトリガイベントであり得る。イベントベースのトリガリングでは、トリガイベント検出構成要素200は、サーバ上のデータがUEに送信されるべきことを示すメッセージがサーバから受信されたと判断する場合がある。たとえば、サーバは、周期的にデータをUEにプッシュするように構成される場合があり、そのようなデータプッシュの各インスタンスと同時に、サーバは、データが送信されるべきことを示すためにメッセージを送信する場合がある。イベントベースのトリガリングでは、そのようなメッセージの受信は、パッシブモードからアクティブモードへの遷移のためのトリガとして働くことができ、その結果、アクティブモードに関連付けられたページングサイクルレート214は、プッシュされるべきデータがUEによる受信に成功したことを保証するために、ページングインスタンスを省略しないか、または比較的少ししか省略しない。本開示の目的として、ページングサイクルレートは、UE向けのページが存在することの指示をUE(またはUEに関連付けられた動作モードマネージャ106)が取得することができるように、ページングメッセージ(またはページングインジケータメッセージ)について監視されるべき1つまたは複数のセルのページングチャネルまたはページングインジケータチャネルに関連付けられた1つまたは複数の周波数に、受信機220が調整されるレートを指す場合がある。そのようなページは、UE(たとえば、図1のUE102)向けの音声通話、データセッション、メッセージングセッション、または任意の他の通信セッションもしくは呼確立要求もしくは呼確立指示がネットワーク上に存在することを示すことができる。
【００３１】
タイマベースのトリガリングでは、トリガイベント検出構成要素200は、動作モードに関連付けられたタイマが満了し、そのため、動作モードが第1の状態から第2の状態に、またはその逆に遷移されるべきことを検出する場合がある。たとえば、UEが所定の時間期間の間第1のモードに従って動作していた場合、トリガイベントは、第1のモードの時間期間に関連付けられたタイマの満了時に検出される場合がある。さらに、時刻ベースのトリガリングでは、トリガイベント検出構成要素200は、UEによって保持されている現在時刻がモード遷移に関連付けられたモード遷移時刻と等しいとき、トリガイベントを検出するように構成される場合がある。たとえば、サーバがある特定の時刻にUEにデータをプッシュするように構成された場合、UEは、プッシュされるべきデータに関連付けられたページング信号が省略されないか、または場合によってはUEによって検出されないようにならないことを保証するために、その時刻にアクティブモードに遷移するように構成される場合がある。
【００３２】
加えて、動作モードマネージャ106は動作モード遷移構成要素206を含む場合があり、動作モード遷移構成要素206は、トリガイベント検出構成要素200によるトリガリングイベントの検出時に、第1のモードと第2のモードの間、またはその逆にUEの動作モードを遷移させるように構成される場合がある。言い換えれば、動作モード遷移構成要素206は、第1のトリガイベントの検出に基づいて、UEの動作モードを第1のモードから第2のモードに遷移させるように構成される場合があり、さらに、第2のトリガイベントの検出に基づいて、動作モードを第2のモードから第1のモードに遷移させるように構成される場合がある。一態様では、動作モードは、第1のモードおよび第2のモードを含む場合があり、それらの各々は、アクティブモード208またはパッシブモード210に対応する場合がある。言い換えれば、本開示の目的として、第1のモードは、アクティブモード208またはパッシブモード210のいずれかに対応する場合がある。同様に、第2のモードは、アクティブモード208またはパッシブモード210のいずれかに対応する場合がある。
【００３３】
さらに、アクティブモード208およびパッシブモード210の各々は、UEがセルのページングチャネルまたはページングインジケータチャネルを監視するレートを決定する、関連付けられたページングサイクルレートを有する場合がある。加えて、アクティブモード208およびパッシブモード210の各々は、UEがセル測定動作を実行するレートを決定する、関連付けられたセル測定レートを有する場合がある。そのようなセル測定動作は、監視されるべき1つまたは複数のセルのブロードキャストチャネルに関連付けられた1つまたは複数の周波数に受信機220を調整することを含む場合があり、その結果、セル測定構成要素216(または概して動作モードマネージャ106)は、監視されるセルに関連付けられた制御、タイミング、サブスクリプション、プロビジョニング、または任意の他の特性情報を取得することができる。追加の態様では、パッシブモード210に関連付けられたページングサイクルレート214は、UEによって監視されるべきサービングセルに関連付けられたページングチャネルのページング信号送信レートよりも小さい場合がある。本開示の目的として、ページング信号送信レートは、セル(または基地局、セクタなど)がページングチャネルまたはページングインジケータチャネルを介して、ページングメッセージまたはページングインジケータをブロードキャスト、または場合によっては送信するレートを指す場合がある。加えて、パッシブモード210に関連付けられたセル測定レート218は、1つまたは複数の利用可能なセルに関連付けられたセル情報送信レートよりも小さい場合がある。本開示の目的として、「1つまたは複数の利用可能なセル」は、UEがシステム情報を受信することができるか、または場合によってはUEの通信範囲内にある任意のセルまたはセルのグループとして、本開示によって定義される場合がある。そのため、パッシブモードにいるとき、UEは、1つまたは複数のサービングセルおよび/または利用可能なセルと比較して、比較的低いページングサイクルレートおよびセル測定レートを維持することによって、1つまたは複数のページングのインスタンスおよび/またはセル測定手順のインスタンスを効果的に「省略」することができる。
【００３４】
反対に、アクティブモード208に関連付けられたページングサイクルレート214は、UEのサービングセルのページングチャネルに関連付けられたページング信号送信レートに適合する場合がある。たとえば、本開示の目的として、ページングチャネルに関連付けられたページング信号送信レートに「適合」するために、ページングサイクルレート214は、ページング信号送信レートと同じか、もしくは実質的に同じであるか、または場合によっては、ページングチャネルに関連付けられたネットワークエンティティによって提供される指定されたページング信号送信レートのパラメータと一致する場合がある。そのため、アクティブモードにいるとき、UEは、いかなるページングの反復またはページングチャネルに関連付けられたDRXサイクルも省略しない(または比較的少ししか省略しない)場合がある。同様に、アクティブモード208に関連付けられたセル測定レート218は、1つまたは複数の利用可能なセルに関連付けられたセル情報送信レートに適合する場合がある。たとえば、利用可能な各セルは、定義されたレートまたはスケジュールに従って、システム情報(たとえば、システム情報ブロック(SIB))、接続情報、または制御情報を含む場合がある、パイロット、ビーコン、または任意の他の信号を送信する場合がある。これらの送信は、個別に、または総称して「セル情報」と呼ばれる場合があり、それに従ってそのようなセル情報がセルによって送信(またはブロードキャスト)されるレートまたはスケジュールは、本開示の目的として、「セル情報送信レート」と呼ばれる場合がある。アクティブモードにいるとき、UEは、定義されたレートまたはスケジュールに従ってそのような信号を受信し処理するために、セル測定を実行する(すなわち、いかなるセル測定インスタンスも省略しない、または比較的少ししか省略しない)ように構成される場合があり、その結果、セルの選択または再選択の手順が最適化される。
【００３５】
ページングチャネル監視手順を実施するために、動作モードマネージャ106はページングチャネル監視構成要素212を含む場合があり、ページングチャネル監視構成要素212は、ページングサイクルレート214に従って、(たとえば、UEのサービングセルに関連付けられた)1つまたは複数のページングチャネルを監視するように構成される場合がある。上記で紹介されたように、ページングサイクルレート214は、UEの現在の動作モードに対応する場合がある。そのため、動作モードがパッシブモード210である場合、ページングサイクルレート214は、1つまたは複数のページングインスタンスを効果的に省略するために、ページングチャネルのページング信号送信(または再送信)レートよりも小さい場合があり、その結果、UEの電力消費を最小化することができる。代替として、動作モードがアクティブモード208である場合、ページングサイクルレート214は、ページング信号のページング信号送信(または再送信)レートに適合する場合があり、その結果、パッシブモード210と比較して、ページングインスタンスは、省略されないか、または比較的少ししか省略されない。
【００３６】
さらに、動作モードマネージャ106はセル測定構成要素216を含む場合があり、セル測定構成要素216は、UEの現在の動作モードに関連付けられたセル測定レート218に従って、セル測定手順を実施するように構成される場合がある。一態様では、UEの現在の動作モードがパッシブモード210であるとき、セル測定レート218は、1つまたは複数の利用可能なセルに関連付けられたセル情報送信レートよりも小さい場合がある。さらに、UEの現在の動作モードがアクティブモード208であるとき、セル測定レート218は、1つまたは複数の利用可能なセルに関連付けられたセル情報送信レートに適合する場合がある。本開示の目的として、1つまたは複数の利用可能なセルには、現在のサービングセル、1つもしくは複数の隣接セル、および/または、セル測定構成要素216もしくはUEの任意の他の構成要素によって検出可能なセル情報を送信する任意の他のセルが含まれ得る。さらに、セル情報には、接続情報、アクセス許可情報、SIB、セルのサイズに関する情報(たとえば、HCS情報)、または、セルもしくは関連付けられたネットワークエンティティによってブロードキャストされる任意の他の関連情報が含まれ得る。
【００３７】
その上、動作モードマネージャ106は受信機220を含む場合があり、受信機220は、サーバ、ネットワーク、ネットワークエンティティ(たとえば、基地局、eNB、スモールセル)、または1つもしくは複数の関連付けられたセルによって送信された1つまたは複数のワイヤレス信号を受信するように構成される場合がある。たとえば、一態様では、受信機220は、動作モードが第1のモードから第2のモードに遷移されるべきことを示すコマンドまたはメッセージを、サーバまたはネットワークから受信するように構成される場合がある。追加の態様では、受信機220は、データプッシュ指示のメッセージまたはページなどの、サーバに記憶されたデータがUEに送信されるべきことを示すメッセージを、受信するように構成される場合がある。同様に、受信機220は、モード遷移が特定の日に、または繰返しベースで発生すべきモード遷移時刻を示すメッセージを、サーバまたはネットワークから受信するように構成される場合がある。加えて、受信機220は、UEが他のモードへの遷移前に第1のモードおよび/または第2のモードを維持すべき期間を定義する第1のモード時間期間および/または第2のモード時間期間を示す1つまたは複数のメッセージを、サーバまたはネットワークから受信するように構成される場合がある。さらに、受信機220は、それぞれページングサイクルレート214およびセル測定レート218に従って、1つもしくは複数のページング信号、または限定はしないが、SIBなどのシステム情報信号を受信する場合がある。加えて、受信機220は、受信機、トランシーバ、および、受信信号を受信、復号、キューイング、解凍、解読、または場合によっては処理するための関連付けられた回路を備える場合がある。
【００３８】
加えて、動作モードマネージャ106はメモリ222を含む場合があり、メモリ222は、モード遷移に関連付けられた情報、トリガイベント、ページングサイクルレート214、セル測定レート218、モード固有タイマ情報、または、動作モードマネージャ106に関連付けられた任意の他の情報を記憶するように構成される場合がある。たとえば、メモリ222は、モード遷移が発生すべき時刻を特定するためにトリガイベント検出構成要素200によって読み取られる場合がある、パッシブモード210および/またはアクティブモード208などの第1のモードまたは第2のモードに関連付けられたモード遷移時間を記憶する場合がある。さらに、メモリ222は、利用可能なセルのセルサイズ、UEのモビリティ状態、またはサーバからプッシュされたデータに関係する情報を記憶するように構成される場合がある。
【００３９】
追加の態様では、動作モードマネージャ106はモードタイマ構成要素224を含む場合があり、モードタイマ構成要素224は、それらの各々がアクティブモード208およびパッシブモード210に関連付けられたモードタイマを含む場合がある、第1のモードタイマ226および第2のモードタイマ228を維持および/または監視するように構成される場合がある。第1のモードタイマ226は、UEが第1のモードに留まるべき第1の時間期間を定義することができ、第2のモードタイマ228は、UEが第2のモードに留まるべき第2の時間期間を定義することができる。加えて、モードタイマ構成要素224は、タイマを開始および維持し、タイマが満了するときを判定することができ、潜在的なトリガイベント検出のために、トリガイベント検出構成要素200にタイマ満了の指示を転送することができる。
【００４０】
その上、動作モードマネージャ106はモビリティ状態決定構成要素230を含む場合があり、モビリティ状態決定構成要素230は、UEのモビリティ状態を決定するように構成される場合がある。たとえば、モビリティ状態決定構成要素230は、UEが低モビリティ状態232、高モビリティ状態234、および/または、限定はしないが、中間モビリティ状態、通常モビリティ状態などの当技術分野で知られている任意の他のモビリティ状態にいると決定するように構成される場合がある。一態様では、モビリティ状態は、セル測定手順の間に取得されるセル履歴情報、セル再選択レート情報、ハンドオーバレート情報、または、UEのモビリティ状態を決定するために使用される当技術分野で知られている任意の他の情報に従って、決定される場合がある。
【００４１】
加えて、動作モードマネージャ106は最大セルサイズ決定構成要素236を含む場合があり、最大セルサイズ決定構成要素236は、最大セルサイズを有する、利用可能な、かつ/またはネットワークによって検出された最大セルを決定するように構成される場合がある。一態様では、受信機220は、1つまたは複数のセルによって送信された1つまたは複数のSIBを受信する場合があり、SIBは、各々送信セルに関連付けられたセルサイズを示すことができる。たとえば、そのようなセル情報には、セルのセルサイズ、それからセルサイズが決定され得るセルに関連付けられた地理情報、または、セルに関連付けられた相対優先度情報(たとえば、0〜7の優先度レベルなど)を示すことができるHCS情報が含まれ得る。次いで、最大セルサイズ決定構成要素236は、1つまたは複数のセルから受信されたセルサイズ情報を比較し、比較に基づいて最大セルサイズを決定することができる。さらに、動作モードマネージャ106は再選択構成要素238を含む場合があり、再選択構成要素238は、最大セルサイズ決定構成要素によって決定された最大セルに再選択するように構成される場合がある。したがって、関連付けられた低モビリティ状態を有するUEは、より小さいセルが利用可能である場合、従来は大きいセルに再選択しないはずであるが、動作モードマネージャ106の機能的態様に従って行う場合があるので、ページングチャネル監視のインスタンスおよびセル測定のインスタンスは、従来のUEの動作に比べてより頻繁に省略することができ、UEにおける電力節約が改善される結果になり得る。
【００４２】
図2の例示的な構成要素は動作モードマネージャ106を参照して提示されているが、それらは排他的ではない。代わりに、動作モードマネージャ106は、本開示および以下に列挙される特許請求の範囲の態様を実行するように構成された、追加または代替の構成要素を含む場合がある。
【００４３】
図3Aおよび図3Bは例示的な方法300および314を提示し、各々の方法は、本明細書に記載された装置(たとえば、図1のUE102、図1および図2の動作モードマネージャ106、ならびに/またはサーバ104)によって実施され得る、ブロックとして表されたステップの非限定的なセットを含む。一態様では、方法300は、ユーザ機器管理の方法を含む場合があり、ブロック302において、第1のトリガイベントを検出するステップを含む場合がある。いくつかの例では、ブロック302は、図2のトリガイベント検出構成要素200によって実施される場合がある。上記で紹介されたように、そのようなトリガイベントには、タイマベースのトリガ、時刻ベースのトリガ、またはイベントベースのトリガが含まれ得る。さらに、第1のトリガイベント302が検出されたとき、UEは、本明細書に記載されたように、アクティブモードまたはパッシブモードを含む場合がある第1のモードに従って動作している場合がある。
【００４４】
加えて、ブロック304において、方法300は、第1のトリガイベントの検出に基づいて、UEの動作モードを第1のモードから第2のモードに遷移させるステップを含む場合がある。一態様では、ブロック304は、図2の動作モード遷移構成要素206によって実施される場合がある。一態様では、第1のモードおよび/または第2のモードは、アクティブモードまたはパッシブモードを含む場合があり、アクティブモードおよびパッシブモードの各々は、それぞれ、UEがページングチャネルを監視するレートおよびUEがセル測定手順を実施するレートを支配する、関連付けられたページングサイクルレートおよびセル測定レートを有する。さらに、ブロック306において、方法300は、ページングサイクルレートに従って、UEに関連付けられたサービングセルのページングチャネルを監視するステップを含む場合がある。いくつかの例では、ブロック306は、図2のページングチャネル監視構成要素212によって実施される場合がある。一態様は、動作モードがパッシブモードである場合、ページングサイクルレートは、サービングセルがページングチャネルを介してページを送信するレートを定義する、サービングセルのDRXサイクルレート、ページング送信レート、または再送信レートよりも小さい場合がある。そのため、パッシブモードにいるとき、UEは、1つまたは複数のページングの送信または再送信のインスタンスを効果的に省略することができ、それにより、ページングチャネル監視の実行に関連付けられた電力が節約される。
【００４５】
加えて、ブロック308において、方法300は、現在の動作モード(たとえば、第2のモード)に関連付けられたセル測定レートに従って、1つまたは複数の利用可能なセルのセル測定を実行するステップを含む場合がある。いくつかの例では、ブロック308は、図2のセル測定構成要素216によって実施される場合がある。パッシブモードに関連付けられたページングサイクルレートと同様に、パッシブモードに関連付けられたセル測定レートは、セル測定動作の間に検出された1つまたは複数の利用可能なセルに関連付けられたセル情報送信レートよりも小さい場合がある。
【００４６】
その上、ブロック310において、方法300は、たとえば、UEが第2のモードに従って動作している間に第2のトリガイベントを検出するステップを含む場合がある。いくつかの例では、ブロック310は、図2のトリガイベント検出構成要素200によって実施される場合がある。ブロック302に関連付けられた第1のトリガイベントと同様に、第2のトリガイベントは、タイマベースのトリガ、時刻ベースのトリガ、またはイベントベースのトリガを含む場合がある。さらに、ブロック302の第1のトリガイベントおよびブロック310の第2のトリガイベントは、同じタイプのトリガイベントを含む場合があるか、または異なるトリガイベントタイプであり得る。たとえば、第1のトリガイベントと第2のトリガイベントの両方は、データがUEにプッシュされるべきこと、および/またはデータプッシュ手順が完了したことを示すメッセージをサーバから受信することなどの、イベントベースのトリガであり得る。いくつかの代替の例では、第1のトリガイベントは、サーバからメッセージを受信することなどのイベントベースのトリガであり得るし、第2のトリガイベントはタイマベースのトリガであり得る。そのような例では、サーバからのメッセージに基づいて、ブロック304においてUEが第2の動作モードに遷移するとき、動作モードに関連付けられた時間期間を有するタイマ(場合によってはメモリに記憶された、またはサーバからのメッセージ内で受信されたタイマ)は開始することができ、UEが第2のモードにいる時間量を監視することができる。それとは反対に、介在する情報またはコマンドがない限り、タイマが満了すると、第2のトリガイベントがブロック310において検出される場合がある。
【００４７】
さらに、ブロック312において、ブロック310における第2のトリガイベントの検出するステップに基づいて、方法300は、UEの動作モードを第2のモードから第1のモードに遷移させるステップを含む場合がある。いくつかの例では、ブロック312は、図2の動作モード遷移構成要素206によって実施される場合がある。第2のモードと同様に、第1のモードは、本開示全体にわたって記載されたように、アクティブモードまたはパッシブモードを含む場合がある。
【００４８】
図3Bを参照すると、UE管理および関連する電力節約のための、本開示の追加または代替の方法314が提示される。本開示の目的として、方法314は、方法300とは無関係に、方法300と連携して、または方法300の前、間、もしくは後に実施される場合があることを理解されたい。言い換えれば、方法314は、方法300の電力節約の態様を補足するように働くことができるか、または方法300と比較して、UE管理および電力節約の独立した方法として働くことができる。
【００４９】
一態様では、方法314は、ブロック316において、UEに関連付けられたモビリティ状態を決定するステップを含む場合がある。いくつかの例では、ブロック316は、図2のモビリティ状態決定構成要素230によって実施される場合がある。上記で紹介されたように、そのようなモビリティ状態は、低モビリティ状態、高モビリティ状態、および/または、限定はしないが、中間モビリティ状態、通常モビリティ状態などの当技術分野で知られている任意の他のモビリティ状態を含む場合がある。一態様では、モビリティ状態は、セル測定手順の間に取得されるセル履歴情報、セル再選択レート情報、ハンドオーバレート情報、または、UEのモビリティ状態を決定するために使用される、当技術分野で知られている任意の他の情報に従って、ブロック316において決定される場合がある。
【００５０】
加えて、ブロック318において、方法314は、1つまたは複数の利用可能なセルに関連付けられた少なくとも1つのSIBを受信するステップを含む場合があり、受信されたSIBの各々は、各利用可能なセルの1つのセルサイズを含んでいる。いくつかの例では、ブロック318は、図2の受信機220によって実施される場合がある。一態様では、そのようなセルサイズは、セルのセルサイズ、それからセルサイズが決定され得るセルに関連付けられた地理情報、または、セルに関連付けられた相対優先度情報(たとえば、0〜7の優先度レベルなど)を示すことができるHCS情報を含む場合がある。さらに、方法314は、ブロック320において、1つまたは複数の利用可能なセルの最大セルサイズを決定するステップを含む場合がある。いくつかの例では、ブロック320は、図2の最大セルサイズ決定構成要素236によって実施される場合がある。一態様では、最大セルサイズを決定するステップは、1つまたは複数のセルから受信されたセルサイズ情報を比較し、比較に基づいて最大セルサイズを決定するステップを含む場合がある。加えて、方法314は、ブロック322において、UEのモビリティ状態にかかわらず、最大の利用可能なセルをUEのサービングセルとして確立するために、再選択手順を実施するステップを含む場合がある。いくつかの例では、ブロック322は、図2の再選択構成要素238によって実施される場合がある。そのため、関連付けられた低モビリティ状態を有するUEは、より小さいセルが利用可能である場合、従来は大きいセルを再選択しないはずであるが、方法314に従ってそうする場合があるので、ページングチャネル監視のインスタンスおよびセル測定のインスタンスは、従来の方法に比べてより頻繁に省略することができ、UEにおける電力節約が改善される結果になり得る。
【００５１】
図4は、処理システム414を採用する装置400についてのハードウェア実装形態の一例を示す概念図である。いくつかの例では、処理システム414は、UEもしくはUE(たとえば、図1のUE102)の構成要素、または図1のサーバ104を備える場合がある。この例では、処理システム414は、バス402によって概略的に表されるバスアーキテクチャを用いて実装される場合がある。バス402は、処理システム414の特定の用途および全体的な設計制約に応じて、任意の数の相互接続するバスおよびブリッジを含む場合がある。バス402は、プロセッサ404によって概略的に表される1つまたは複数のプロセッサと、コンピュータ可読媒体406によって概略的に表されるコンピュータ可読媒体と、本明細書に記載された1つまたは複数の方法または手順を遂行するように構成され得る動作モードマネージャ106(図1および図2参照)とを含む様々な回路を互いにリンクさせる。
【００５２】
バス402はまた、タイミングソース、周辺機器、電圧調整器、および電力管理回路などの様々な他の回路をリンクさせることができ、これらの回路は当技術分野でよく知られており、したがってこれ以上は記載されない。装置の性質に応じて、ユーザインターフェース412(たとえば、キーパッド、ディスプレイ、スピーカ、マイクロフォン、ジョイスティック)が設けられる場合もある。
【００５３】
プロセッサ404は、バス402の管理、ならびにコンピュータ可読媒体406および/または動作モードマネージャ106のメモリ(たとえば、図2のメモリ222)に記憶されたソフトウェアの実行を含む全体的な処理に関与する。ソフトウェアは、プロセッサ404によって実行されたとき、任意の特定の装置用の以下に記載される様々な機能を処理システム414に実行させる。コンピュータ可読媒体406は、ソフトウェアを実行するときにプロセッサ404によって操作されるデータを記憶するために使用される場合もある。
【００５４】
加えて、動作モードマネージャ106は、コンピュータ可読媒体406および/または動作モードマネージャ106のメモリ(たとえば、図2のメモリ222)に記憶されたソフトウェアを実行するプロセッサ404によって実装される場合がある。言い換えれば、いくつかの例では、動作モードマネージャ106は、コンピュータ可読媒体406と連携して、プロセッサ404によって実行されるソフトウェアによって実装される場合がある。その上、動作モードマネージャ106は、ハードウェアとソフトウェアの組合せによって実装される場合がある。たとえば、動作モードマネージャ106は、プロセッサ404によって部分的もしくは全体的に実装されるか、またはプロセッサ404以外のハードウェアによって部分的もしくは全体的に実装される場合がある。
【００５５】
本開示全体にわたって提示された様々な概念は、多種多様な電気通信システム、ネットワークアーキテクチャ、および通信規格にわたって実装される場合がある。限定はしないが例として、図5に示される本開示の態様は、WCDMA(登録商標)エアインターフェースを採用するUMTSシステム500を参照して提示される。UMTSネットワークは、コアネットワーク(CN)504、UMTS地上波無線アクセスネットワーク(UTRAN)502、およびユーザ機器(UE)510の3つの相互作用する領域を含む。一態様では、UE510は図1のUE102を表す場合があり、図1および図2の動作モードマネージャ106を含むことができる。この例では、UTRAN502は、電話、ビデオ、データ、メッセージング、ブロードキャスト、および/または他のサービスを含む様々なワイヤレスサービスを提供する。UTRAN502は、無線ネットワークコントローラ(RNC)506などのそれぞれのRNCによって各々が制御される、無線ネットワークサブシステム(RNS)507などの複数のRNSを含む場合がある。ここで、UTRAN502は、本明細書に示されたRNC506およびRNS507に加えて、任意の数のRNC506およびRNS507を含む場合がある。RNC506は、特に、RNS507内の無線リソースを割り当て、再構成し、解放することに関与する装置である。RNC506は、任意の適切なトランスポートネットワークを使用して、直接物理接続、仮想ネットワークなどの様々なタイプのインターフェースを介して、UTRAN502内の他のRNC(図示せず)に相互接続される場合がある。
【００５６】
UE510とノードB508との間の通信は、物理(PHY)レイヤおよび媒体アクセス制御(MAC)レイヤを含むものと見なされ得る。さらに、それぞれのノードB508によるUE510とRNC506との間の通信は、無線リソース制御(RRC)レイヤを含むものと見なされ得る。本明細書では、PHYレイヤはレイヤ1と見なされ得るし、MACレイヤはレイヤ2と見なされ得るし、RRCレイヤはレイヤ3と見なされ得る。以下、情報は、参照により本明細書に組み込まれる、無線リソース制御(RRC)プロトコル仕様、3GPP TS25.331 v9.1.0において紹介されている用語を利用する。
【００５７】
SRNS507によってカバーされる地理的領域は、いくつかのセルに分割される場合があり、無線トランシーバ装置が各セルをサービスする。無線トランシーバ装置は、通常、UMTS用途ではノードBと呼ばれるが、当業者によって、基地局(BS)、トランシーバ基地局(BTS)、無線基地局、無線トランシーバ、トランシーバ機能、基本サービスセット(BSS)、拡張サービスセット(ESS)、アクセスポイント(AP)、または何らかの他の適切な用語で呼ばれる。明確にするために、各SRNS507内に3つのノードB508が示されているが、SRNS507は、任意の数のワイヤレスノードBを含む場合がある。ノードB508は、任意の数のモバイル装置に、コアネットワーク(CN)504へのワイヤレスアクセスポイントを提供する。モバイル装置の例には、携帯電話、スマートフォン、セッション開始プロトコル(SIP)電話、ラップトップ、ノートブック、ネットブック、スマートブック、携帯情報端末(PDA)、衛星ラジオ、全地球測位システム(GPS)デバイス、マルチメディアデバイス、ビデオデバイス、デジタルオーディオプレーヤ(たとえば、MP3プレーヤ)、カメラ、ゲーム機、または任意の他の同様の機能デバイスが含まれる。モバイル装置は、通常、UMTS用途ではユーザ機器(UE)と呼ばれるが、当業者によって、移動局(MS)、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末(AT)、モバイル端末、ワイヤレス端末、リモート端末、ハンドセット、端末、ユーザエージェント、モバイルクライアント、クライアント、または何らかの他の適切な用語で呼ばれる場合もある。UMTSシステムでは、UE510は、ネットワークへのユーザの加入情報を含むユニバーサル加入者識別モジュール(USIM)511をさらに含む場合がある。説明のために、1つのUE510が、いくつかのノードB508と通信しているように示される。順方向リンクとも呼ばれるダウンリンク(DL)は、ノードB508からUE510への通信リンクを指し、逆方向リンクとも呼ばれるアップリンク(UL)は、UE510からノードB508への通信リンクを指す。
【００５８】
コアネットワーク504は、UTRAN502などの1つまたは複数のアクセスネットワークとインターフェースする。図示されたように、コアネットワーク504はGSM(登録商標)コアネットワークである。しかしながら、当業者が認識するように、GSM(登録商標)ネットワーク以外のタイプのコアネットワークへのアクセスをUEに提供するために、本開示全体にわたって提示された様々な概念は、RANまたは他の適切なアクセスネットワークに実装される場合がある。
【００５９】
コアネットワーク504は、回線交換(CS)領域およびパケット交換(PS)領域を含む。回線交換要素のうちのいくつかは、モバイルサービス交換センタ(MSC)、ビジタロケーションレジスタ(VLR)、およびゲートウェイMSCである。パケット交換要素には、サービングGPRSサポートノード(SGSN)およびゲートウェイGPRSサポートノード(GGSN)が含まれる。EIR、HLR、VLR、およびAuCなどのいくつかのネットワーク要素は、回線交換領域とパケット交換領域の両方によって共有される場合がある。図示された例では、コアネットワーク504は、MSC512およびGMSC514を用いて回線交換サービスをサポートする。いくつかの用途では、GMSC514は、メディアゲートウェイ(MGW)と呼ばれる場合がある。RNC506などの1つまたは複数のRNCは、MSC512に接続される場合がある。MSC512は、呼設定、呼ルーティング、およびUEモビリティ機能を制御する装置である。MSC512は、UEがMSC512のカバレージエリア内にある持続時間の間、加入者関連情報を含んでいるビジタロケーションレジスタ(VLR)も含む。GMSC514は、UEが回線交換ネットワーク516にアクセスするための、MSC512を介するゲートウェイを提供する。コアネットワーク504は、特定のユーザが加入したサービスの詳細を反映するデータなどの加入者データを含んでいる、ホームロケーションレジスタ(HLR)515を含む。HLRは、加入者固有の認証データを含んでいる認証センタ(AuC)とも関連付けられる。特定のUE向けの呼が受信されたとき、GMSC514は、UEの位置を特定するためにHLR515に問い合わせ、その位置をサービスする特定のMSCに呼を転送する。
【００６０】
コアネットワーク504は、サービングGPRSサポートノード(SGSN)518およびゲートウェイGPRSサポートノード(GGSN)520を用いてパケットデータサービスもサポートする。汎用パケット無線サービスを表すGPRSは、標準の回線交換データサービスを用いて利用可能なパケットデータサービスよりも高速でパケットデータサービスを提供するように設計されている。GGSN520は、パケットベースネットワーク522へのUTRAN502の接続を提供する。パケットベースネットワーク522は、インターネット、プライベートデータネットワーク、または他の何らかの適切なパケットベースネットワークであり得る。GGSN520の主要機能は、UE510にパケットベースネットワーク接続を提供することである。データパケットは、MSC512が回線交換領域において実行する機能と同じ機能をパケットベース領域において主に実行するSGSN518を介して、GGSN520とUE510との間で転送される場合がある。
【００６１】
UMTSエアインターフェースは、スペクトル拡散直接シーケンス符号分割多元接続(DS-CDMA)システムである。スペクトル拡散DS-CDMAは、チップと呼ばれる擬似ランダムビットのシーケンスとの乗算を介してユーザデータを拡散する。UMTS用のWCDMA(登録商標)エアインターフェースは、そのような直接シーケンススペクトル拡散技術に基づき、さらに周波数分割複信(FDD)を必要とする。FDDは、ノードB508とUE510との間のアップリンク(UL)とダウンリンク(DL)に異なるキャリア周波数を使用する。DS-CDMAを利用し、時分割複信を使用するUMTS用の別のエアインターフェースは、TD-SCDMAエアインターフェースである。本明細書に記載された様々な例は、WCDMA(登録商標)エアインターフェースを参照する場合があるが、基礎をなす原理はTD-SCDMAエアインターフェースに等しく適用可能であることを、当業者なら認識されよう。
【００６２】
図6を参照すると、UTRANアーキテクチャにおけるアクセスネットワーク600が示されている。一態様では、アクセスネットワーク600は、図1のネットワーク108またはその一部分に対応する場合がある。言い換えれば、UTRANアーキテクチャは、図1のUE102をサービスするように構成されたネットワークに関連付けられる場合がある。多元接続ワイヤレス通信システムは、セル602、604、および606を含む複数のセルラー領域(セル)を含み、セルの各々は、1つまたは複数のセクタを含む場合がある。複数のセクタは、アンテナのグループによって形成され得るし、各アンテナはセルの一部分にあるUEとの通信に関与する。たとえば、セル602において、アンテナグループ612、614、および616は、各々異なるセクタに対応する場合がある。セル604において、アンテナグループ618、620、および622は、各々異なるセクタに対応する。セル606において、アンテナグループ624、626、および628は、各々異なるセクタに対応する。セル602、604、および606は、いくつかのワイヤレス通信デバイス、たとえばユーザ機器またはUEを含む場合があり、それらは、各セル602、604、または606の1つまたは複数のセクタと通信している場合があり、動作モードマネージャ106を有する図1のUE102を表す場合がある。たとえば、UE630および632は、ノードB642と通信している場合があり、UE634および636は、ノードB644と通信している場合があり、(図1のUE102を表す場合がある)UE638および640は、ノードB646と通信している場合がある。ここで、各ノードB642、644、646は、それぞれのセル602、604、および606の中のすべてのUE630、632、634、636、638、640に、コアネットワーク204(図2参照)へのアクセスポイントを提供するように構成される。
【００６３】
UE634がセル604内の図示された位置からセル606に移動するとき、UE634との通信がソースセルと呼ばれる場合があるセル604からターゲットセルと呼ばれる場合があるセル606に移行する、サービングセル変更(SCC)またはハンドオーバが発生する場合がある。UE634において、それぞれのセルに対応するノードBにおいて、無線ネットワークコントローラ506(図5参照)において、またはワイヤレスネットワーク内の別の適切なノードにおいて、ハンドオーバ手順の管理が行われる場合がある。たとえば、ソースセル604との呼の間、または任意の他の時間において、UE634は、ソースセル604の様々なパラメータ、ならびに、セル606および602などの隣接セルの様々なパラメータを監視することができる。さらに、これらのパラメータの品質に応じて、UE634は、隣接セルのうちの1つまたは複数との通信を維持することができる。この時間中、UE634は、アクティブセット、すなわちUE634が同時に接続されるセルのリストを維持することができる(すなわち、ダウンリンク専用物理チャネルDPCHまたはフラクショナルダウンリンク専用物理チャネルF-DPCHをUE634に現在割り当てているUTRAセルが、アクティブセットを構成することができる)。
【００６４】
アクセスネットワーク600によって採用される変調および多元接続方式は、展開されている特定の電気通信規格に応じて異なる場合がある。例として、規格には、エボリューションデータオプティマイズド(EV-DO)またはウルトラモバイルブロードバンド(UMB)が含まれ得る。EV-DOおよびUMBは、CDMA2000規格ファミリの一部として第3世代パートナーシッププロジェクト2(3GPP2)によって公表されたエアインターフェース規格であり、ブロードバンドインターネットアクセスを移動局に提供するためにCDMAを採用する。規格は、代替として、広帯域CDMA(WCDMA(登録商標))およびTD-SCDMAなどのCDMAの他の変形形態を採用するユニバーサル地上波無線アクセス(UTRA)、TDMAを採用するモバイル通信用グローバルシステム(GSM(登録商標))、ならびにOFDMAを採用する発展型UTRA(E-UTRA)、ウルトラモバイルブロードバンド(UMB)、IEEE802.11(Wi-Fi)、IEEE802.16(WiMAX)、IEEE802.20、およびFlash-OFDMであり得る。UTRA、E-UTRA、UMTS、LTE、LTEアドバンスト、およびGSM(登録商標)は、3GPP団体からの文書に記述されている。CDMA2000およびUMBは、3GPP2団体からの文書に記述されている。採用される実際のワイヤレス通信規格および多元接続技術は、特定の用途、およびシステムに課される全体的な設計制約に依存する。
【００６５】
図7は、UE750と通信しているノードB710のブロック図であり、ノードB710は図1のネットワーク108と関連付けられる場合があり、UE750は図1のUE102であり得る。したがって、UE750は、たとえば、図1および図2を参照して記載された動作モードマネージャ106を含む場合がある。ダウンリンク通信では、送信プロセッサ720は、データソース712からデータを受信し、コントローラ/プロセッサ740から制御信号を受信することができる。送信プロセッサ720は、データ信号および制御信号、ならびに基準信号(たとえば、パイロット信号)のための様々な信号処理機能を提供する。たとえば、送信プロセッサ720は、誤り検出のための巡回冗長検査(CRC)コード、順方向誤り訂正(FEC)を容易にするコーディングおよびインターリービング、様々な変調方式(たとえば、二位相偏移変調(BPSK)、四位相偏移変調(QPSK)、M-位相偏移変調(M-PSK)、M-直角位相振幅変調(M-QAM)など)に基づく信号コンステレーションへのマッピング、直交可変拡散率(OVSF)による拡散、ならびに、一連のシンボルを生成するスクランブリングコードとの乗算を提供することができる。チャネルプロセッサ744からのチャネル推定値は、送信プロセッサ720のためのコーディング、変調、拡散、および/またはスクランブリングの方式を決定するために、コントローラ/プロセッサ740によって使用される場合がある。これらのチャネル推定値は、UE750によって送信される基準信号から、またはUE750からのフィードバックから導出される場合がある。送信プロセッサ720によって生成されたシンボルは、フレーム構造を作成するために送信フレームプロセッサ730に供給される。送信フレームプロセッサ730は、コントローラ/プロセッサ740からの情報を用いてシンボルを多重化することによって、このフレーム構造を作成し、一連のフレームをもたらす。次いで、これらのフレームは送信機732に供給され、送信機732は、アンテナ734を通してワイヤレス媒体を介するダウンリンク送信のために、増幅、フィルタリング、およびキャリア上へのフレームの変調を含む、様々な信号調整機能を提供する。アンテナ734は、たとえば、ビームステアリング双方向適応アンテナアレイまたは他の同様のビーム技術を含む、1つまたは複数のアンテナを含む場合がある。
【００６６】
UE750において、受信機754は、アンテナ752を通してダウンリンク送信を受信し、その送信を処理してキャリア上に変調された情報を復元する。受信機754によって復元された情報は、受信フレームプロセッサ760に供給され、受信フレームプロセッサ760は、各フレームを構文解析し、フレームからの情報をチャネルプロセッサ794に供給し、データ信号、制御信号、および基準信号を受信プロセッサ770に供給する。次いで、受信プロセッサ770は、ノードB710内の送信プロセッサ720によって実行された処理の逆を実行する。より詳細には、受信プロセッサ770は、シンボルを逆スクランブルおよび逆拡散し、次いで、変調方式に基づいて、ノードB710によって送信された最も可能性の高い信号コンスタレーションポイントを決定する。これらの軟判定は、チャネルプロセッサ794によって計算されたチャネル推定値に基づく場合がある。次いで、軟判定は、データ信号、制御信号、および基準信号を復元するために、復号およびデインターリーブされる。次いで、フレームが正常に復号されたかどうかを判定するために、CRCコードがチェックされる。次いで、正常に復号されたフレームによって搬送されたデータが、データシンク772に供給され、データシンク772は、UE750および/または様々なユーザインターフェース(たとえば、ディスプレイ)において実行されているアプリケーションを表す。正常に復号されたフレームによって搬送された制御信号は、コントローラ/プロセッサ790に供給される。受信プロセッサ770によるフレームの復号が失敗したとき、コントローラ/プロセッサ790は、それらのフレームに対する再送信要求をサポートするために、肯定応答(ACK)および/または否定応答(NACK)プロトコルを使用する場合もある。
【００６７】
アップリンクでは、データソース778からのデータ、およびコントローラ/プロセッサ790からの制御信号が、送信プロセッサ780に供給される。データソース778は、UE750および様々なユーザインターフェース(たとえば、キーボード)において実行されているアプリケーションを表す場合がある。ノードB710によるダウンリンク送信に関して記載された機能と同様に、送信プロセッサ780は、CRCコード、FECを容易にするコーディングおよびインターリービング、信号コンスタレーションへのマッピング、OVSFによる拡散、ならびに、一連のシンボルを生成するスクランブリングを含む、様々な信号処理機能を提供する。ノードB710によって送信される基準信号から、または、ノードB710によって送信されるミッドアンブル内に含まれるフィードバックから、チャネルプロセッサ794によって導出されるチャネル推定値は、適切なコーディング、変調、拡散、および/またはスクランブリングの方式を選択するために使用される場合がある。送信プロセッサ780によって生成されたシンボルは、フレーム構造を作成するために送信フレームプロセッサ782に供給される。送信フレームプロセッサ782は、コントローラ/プロセッサ790からの情報を用いてシンボルを多重化することによって、このフレーム構造を作成し、一連のフレームをもたらす。次いで、これらのフレームは送信機756に供給され、送信機756は、アンテナ752を通してワイヤレス媒体を介するアップリンク送信のために、増幅、フィルタリング、およびキャリア上へのフレームの変調を含む、様々な信号調整機能を提供する。
【００６８】
アップリンク送信は、UE750における受信機機能に関して記載された方式と同様の方式で、ノードB710において処理される。受信機735は、アンテナ734を通してアップリンク送信を受信し、その送信を処理してキャリア上に変調された情報を復元する。受信機735によって復元された情報は、受信フレームプロセッサ736に供給され、受信フレームプロセッサ736は、各フレームを構文解析し、フレームからの情報をチャネルプロセッサ744に供給し、データ信号、制御信号、および基準信号を受信プロセッサ738に供給する。受信プロセッサ738は、UE750内の送信プロセッサ780によって実行された処理の逆を実行する。次いで、正常に復号されたフレームによって搬送されたデータ信号および制御信号は、それぞれデータシンク739およびコントローラ/プロセッサに供給される場合がある。フレームの一部が受信プロセッサによる復号に失敗した場合、コントローラ/プロセッサ740は、それらのフレームに対する再送信要求をサポートするために、肯定応答(ACK)および/または否定応答(NACK)プロトコルを使用する場合もある。
【００６９】
コントローラ/プロセッサ740および790は、それぞれノードB710およびUE750における動作を指示するために使用される場合がある。たとえば、コントローラ/プロセッサ740および790は、タイミング、周辺インターフェース、電圧制御、電力管理、および他の制御機能を含む様々な機能を提供することができる。メモリ742および792のコンピュータ可読媒体は、それぞれノードB710およびUE750のためのデータおよびソフトウェアを記憶することができる。ノードB710におけるスケジューラ/プロセッサ746は、リソースをUEに割り振り、UE用のダウンリンク送信および/またはアップリンク送信をスケジュールするために使用される場合がある。
【００７０】
電気通信システムのいくつかの態様が、HSPAシステムを参照して提示されている。当業者なら容易に諒解するように、本開示全体にわたって記載された様々な態様は、他の電気通信システム、ネットワークアーキテクチャ、および通信規格に拡張され得る。
【００７１】
例として、様々な態様は、WCDMA(登録商標)、TD-SCDMA、高速ダウンリンクパケットアクセス(HSDPA)、高速アップリンクパケットアクセス(HSUPA)、高速パケットアクセスプラス(HSPA+)、およびTD-CDMAなどの、他のUMTSシステムに拡張され得る。様々な態様はまた、(FDDモード、TDDモード、または両方のモードにおける)ロングタームエボリューション(LTE)、(FDDモード、TDDモード、または両方のモードにおける)LTEアドバンスト(LTE-A)、CDMA2000、エボリューションデータオプティマイズド(EV-DO)、ウルトラモバイルブロードバンド(UMB)、IEEE802.11(Wi-Fi)、IEEE802.16(WiMAX)、IEEE802.20、ウルトラワイドバンド(UWB)、Bluetooth(登録商標)、および/または他の適切なシステムを採用するシステムに拡張され得る。採用される実際の電気通信規格、ネットワークアーキテクチャ、および/または通信規格は、特定の用途、およびシステムに課される全体的な設計制約に依存する。
【００７２】
本開示の様々な態様によれば、要素もしくは要素の一部分、または要素の組合せは、1つもしくは複数のプロセッサを含むか、または、1つもしくは複数のプロセッサと通信するように構成された、「処理システム」または「構成要素」を用いて実装される場合がある。プロセッサの例には、マイクロプロセッサ、マイクロコントローラ、デジタル信号プロセッサ(DSP)、フィールドプログラマブルゲートアレイ(FPGA)、プログラマブル論理デバイス(PLD)、状態機械、ゲート論理、個別ハードウェア回路、および本開示全体にわたって記載された様々な機能を実行するように構成された他の適切なハードウェアが含まれる。本明細書における1つもしくは複数の構成要素、または処理システム内のプロセッサは、ハードウェアを含む場合があるか、またはソフトウェアを実行するように構成される場合がある。ソフトウェアは、ソフトウェア、ファームウェア、ミドルウェア、マイクロコード、ハードウェア記述言語、または他の名称で呼ばれるかどうかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味するように広く解釈されるべきである。ソフトウェアは、コンピュータ可読媒体上に存在する場合がある。コンピュータ可読媒体は、非一時的コンピュータ可読媒体であり得る。非一時的コンピュータ可読媒体には、例として、磁気ストレージデバイス(たとえば、ハードディスク、フロッピー(登録商標)ディスク、磁気ストリップ)、光ディスク(たとえば、コンパクトディスク(CD)、デジタル多用途ディスク(DVD))、スマートカード、フラッシュメモリデバイス(たとえば、カード、スティック、キードライブ)、ランダムアクセスメモリ(RAM)、読取り専用メモリ(ROM)、プログラマブルROM(PROM)、消去可能PROM(EPROM)、電気的消去可能PROM(EEPROM)、レジスタ、リムーバブルディスク、ならびに、コンピュータがアクセスし読み取ることができるソフトウェアおよび/または命令を記憶するための任意の他の適切な媒体が含まれる。コンピュータ可読媒体には、例として、搬送波、伝送路、ならびにコンピュータがアクセスし読み取ることができるソフトウェアおよび/または命令を送信するための任意の他の適切な媒体も含まれ得る。コンピュータ可読媒体は、処理システム内に存在するか、処理システムの外部に存在するか、または処理システムを含む複数のエンティティにわたって分散される場合がある。コンピュータ可読媒体は、コンピュータプログラム製品内で具現化される場合がある。例として、コンピュータプログラム製品には、パッケージング材料内のコンピュータ可読媒体が含まれ得る。特定の用途、およびシステム全体に課される全体的な設計制約に応じて、本開示全体にわたって提示された記載機能を最善の形でどのように実装するかを、当業者なら認識されよう。
【００７３】
開示された方法におけるステップの特定の順序または階層は、例示的なプロセスの説明であることを理解されたい。設計上の選好に基づいて、本明細書に記載された方法または方法論におけるステップの特定の順序または階層は、再配置可能であることを理解されたい。添付の方法クレームは、サンプルの順序で様々なステップの要素を提示し、本明細書において特に指定がない限り、提示された特定の順序または階層に限定されることを意味しない。
【００７４】
前記の説明は、いかなる当業者も本明細書に記載された様々な態様を実践することを可能にするように提供される。これらの態様に対する様々な修正形態は、当業者に容易に明らかになり、本明細書において定義された一般的な原理は他の態様に適用され得る。したがって、特許請求の範囲は本明細書に示された態様に限定されるものではなく、特許請求の範囲の文言と整合するすべての範囲が与えられるものであり、単数形の要素への言及は、そのように明記されていない限り、「唯一無二の」ではなく「1つまたは複数の」を意味するものである。別段に明記されていない限り、「いくつかの」という用語は「1つまたは複数の」を指す。項目のリスト「のうちの少なくとも1つ」という句は、単一のメンバを含む、それらの項目の任意の組合せを指す。一例として、「a、b、またはcのうちの少なくとも1つ」は、a、b、c、aおよびb、aおよびc、bおよびc、ならびにa、b、およびcを包含するものである。当業者に知られているか、または後で当業者に知られることになる、本開示全体にわたって記載された様々な態様の要素のすべての構造的等価物および機能的等価物は、参照により本明細書に明確に組み込まれ、特許請求の範囲によって包含されるものである。その上、本明細書で開示されたいかなる内容も、そのような開示が特許請求の範囲で明示的に列挙されているかどうかにかかわらず、公に供されるものではない。請求項のいかなる要素も、「のための手段」という句を使用して要素が明示的に列挙されていない限り、または方法クレームの場合、「のためのステップ」という句を使用して要素が列挙されていない限り、米国特許法第112条第6項または米国特許法第112条(f)の規定の下で解釈されるべきではない。
【符号の説明】
【００７５】
100  ワイヤレス通信用のシステム
102  UE
104  サーバ
106  動作モードマネージャ
108  ネットワーク
110  メッセージ
112  システム情報
114  通信チャネル
116  通信リンク
200  トリガイベント検出構成要素
202  第1のトリガイベント
204  第2のトリガイベント
206  動作モード遷移構成要素
208  アクティブモード
210  パッシブモード
212  ページングチャネル監視構成要素
214  ページングサイクルレート
216  セル測定構成要素
218  セル測定レート
220  受信機
222  メモリ
224  モードタイマ構成要素
226  第1のモードタイマ
228  第2のモードタイマ
230  モビリティ状態決定構成要素
232  低モビリティ状態
234  高モビリティ状態
236  最大セルサイズ決定構成要素
238  再選択構成要素
300  方法
302  ブロック
304  ブロック
306  ブロック
308  ブロック
310  ブロック
312  ブロック
314  方法
316  ブロック
318  ブロック
320  ブロック
322  ブロック
400  装置
402  バス
404  プロセッサ
406  コンピュータ可読媒体
408  バスインターフェース
412  ユーザインターフェース
414  処理システム
500  UMTSシステム
502  UMTS地上波無線アクセスネットワーク(UTRAN)
504  コアネットワーク(CN)
506  無線ネットワークコントローラ(RNC)
507  無線ネットワークサブシステム(RNS)
508  ノードB
510  ユーザ機器(UE)
511  ユニバーサル加入者識別モジュール(USIM)
512  モバイルサービス交換センタ(MSC)
514  ゲートウェイMSC(GMSC)
515  ホームロケーションレジスタ(HLR)
516  回線交換ネットワーク
518  サービングGPRSサポートノード(SGSN)
520  ゲートウェイGPRSサポートノード(GGSN)
522  パケットベースネットワーク
600  アクセスネットワーク
602  セル
604  セル
606  セル
612  アンテナグループ
614  アンテナグループ
616  アンテナグループ
618  アンテナグループ
620  アンテナグループ
622  アンテナグループ
624  アンテナグループ
626  アンテナグループ
628  アンテナグループ
630  UE
632  UE
634  UE
636  UE
638  UE
640  UE
642  ノードB
644  ノードB
646  ノードB
710  ノードB
712  データソース
720  送信プロセッサ
730  送信フレームプロセッサ
732  送信機
734  アンテナ
735  受信機
736  受信フレームプロセッサ
738  受信プロセッサ
739  データシンク
740  コントローラ/プロセッサ
742  メモリ
744  チャネルプロセッサ
746  スケジューラ/プロセッサ
750  UE
752  アンテナ
754  受信機
756  送信機
760  受信フレームプロセッサ
770  受信プロセッサ
772  データシンク
778  データソース
780  送信プロセッサ
782  送信フレームプロセッサ
790  コントローラ/プロセッサ
792  メモリ
794  チャネルプロセッサ
【図１】
2016536905.tif 000003
【図２】
2016536905.tif 000004
【図３Ａ】
2016536905.tif 000005
【図３Ｂ】
2016536905.tif 000006
【図４】
2016536905.tif 000007
【図５】
2016536905.tif 000008
【図６】
2016536905.tif 000009
【図７】
2016536905.tif 000010
【国際調査報告】
2016536905.tif 000011
2016536905.tif 000012
2016536905.tif 000013